(57)【要約】引出しガイドシステム用の家具駆動装置が開示されている。この家具駆動装置は、引出しガイドシステムの少なくとも１本のガイドレールを駆動するものであり、ハウジング内に収納された電動モータを備えている。ハウジングはカップ形状体（３）を有しており、その内部に電動モータ（５）が収容される。またハウジングは引出しガイドシステム（４）を固定する家具枠体の壁部（６）に当接する接触部（２）を有している。家具駆動装置（１）が設置された状態では電動モータ（５）は家具枠体の壁部（６）に設けられた凹部（７）内に収容される。【選択図】図１
2011505993.tif 000002
【特許請求の範囲】
【請求項１】
引出しガイドシステムの少なくとも１つのレールを駆動するための引出しガイドシステム用の家具駆動装置であって、
ハウジング内に配置されている電動モータを含んでおり、
前記ハウジングは、前記電動モータ（５）が配置されているカップ形状体（３）と、前記引出しガイドシステム（４）が取り付けられた、又は、取り付け可能である家具枠体の壁部（６）に対して当接する接触部（２）とを有しており、当該家具駆動装置（１）の取り付け状態において、前記電動モータ（５）は前記家具枠体の前記壁部（６）の凹部（７）内に配置可能であることを特徴とする家具駆動装置。
【請求項２】
前記接触部（２）は平板状の構造であることを特徴とする請求項１に記載の家具駆動装置。
【請求項３】
前記カップ形状体（３）は前記接触部（２）の平板側から突出していることを特徴とする請求項２に記載の家具駆動装置。
【請求項４】
前記接触部（２）は当該家具駆動装置（１）を前記引出しガイドシステム（４）に固定するための固定手段を有していることを特徴とする請求項１から３のいずれか一項に記載の家具駆動装置。
【請求項５】
当該家具駆動装置（１）は、別カップ形状体（３’）と、好ましくは別接触部（２’）とを有しており、前記電動モータ（５）のための制御又は規制装置（９）が前記別カップ形状体（３’）内に配置されていることを特徴とする請求項１から４のいずれか一項に記載の家具駆動装置。
【請求項６】
引出し用の引出しガイドシステムであって、
相対的に移動可能な少なくとも２つのガイドレールと、
少なくとも１つのガイドレールを駆動するための電動モータと、を含み、
前記ガイドレールのうちの１つは前記引出しに固定される引出しレールであり、且つ、前記ガイドレールのうちの１つは家具枠体レールであって、家具枠体の壁部に当接するための接触部を有しており、
前記接触部は、前記引出しレール側の側部と、前記引出しレールとは反対側の側部とを有し、前記電動モータ（５）は、前記引出しレールとは反対側の前記接触部（８）の側部において配置されていることを特徴とする引出しガイドシステム。
【請求項７】
当該引出しガイドシステム（４）の前記接触部（８）は、請求項１から５のいずれかの家具駆動装置（１）の前記ハウジングの前記接触部（２）によって少なくとも部分的に形成されることを特徴とする請求項６に記載の引出しガイドシステム。
【請求項８】
請求項１から５のいずれかの電動モータを有する家具駆動装置を備える家具枠体であって、前記電動モータは当該家具枠体の壁部の凹部内に少なくともその一部が配置されていることを特徴とする家具枠体。
【請求項９】
前記電動モータ（５）は前記凹部（７）に完全に収容されていることを特徴とする請求項８に記載の家具枠体。
【請求項１０】
（好ましくは請求項６又は７の）引出しガイドシステム（４）が当該家具枠体の壁部に取り付けられていることを特徴とする請求項８又は９に記載の家具枠体。
【請求項１１】
請求項８から１０のいずれかの家具枠体と、家具駆動装置によって駆動される少なくとも１つの引出し（１０）とを備えることを特徴とする家具。
【発明の詳細な説明】
【技術分野】
【０００１】
本発明は、ハウジング内に電動モータを内蔵した引出し（伸長）ガイドシステム用の家具駆動装置に関する。
【背景技術】
【０００２】
この種の家具駆動装置は引出しガイドシステムの少なくとも１本のガイドレールの駆動に利用される。これには引出しに連結された引出しレール、あるいは、その引出しレールと、家具本体あるいは家具枠体の壁部に取り付けられている家具枠体レールとの間に設置されている中央レールが関与する。
【０００３】
さらに本発明は、相対的に移動可能な少なくとも２本のガイドレールと、少なくとも１本のガイドレールを駆動する電動モータとを含んだ引出し用の引出しガイドシステムにも関する。１本のガイドレールは引出しに固定された引出しレールの形態であり、また１本のガイドレールは枠体レールの形態であって、家具枠体の壁部に当接する接触部を有する。この接触部は引出しレール側の側部と、引出しレールとは反対側の側部とを有している。
【０００４】
上記のごとき一般的な家具駆動装置は、支持部品によって直接的または間接的に家具枠体の壁部に固定されている。オーストリア特許願ＡＴ５００３６２Ａ１およびＷＯ２００５／１２２８３２Ａ１は引出し用の引出しガイドシステムを開示している。そこでは電動モータが引出しガイドシステムの一部に取り付けられている。
【０００５】
このような構成の弱点は、電動モータの設置には比較的に大きな設置スペースを要することである。
【０００６】
引出し用の引出しガイドシステムは家具枠体の両側壁部間に配置されるのが普通であるが、一般的には、電動モータを備えた家具駆動装置をそれらの一方の引出しガイド装置に装着すれば十分である。しかしこの場合には、電動モータを備えた家具駆動装置およびその対応引出しガイドシステムは、他方の壁部に設置される引出しガイドシステムよりも大きな設置スペースを必要とするという新たな弱点が発生する。
【０００７】
よって、１体の家具枠体内の１体の引出しのそれぞれの引出しガイドシステムには、家具枠体の両側壁部において異なる大きさの設置スペースが必要になる。
【先行技術文献】
【特許文献】
【０００８】
【特許文献１】ＡＴ５００３６２Ａ１
【特許文献２】ＷＯ２００５／１２２８３２Ａ１
【発明の概要】
【発明が解決しようとする課題】
【０００９】
従って、本発明の目的は、前述のごとき家具駆動装置または引出しガイドシステムを家具枠体内において小設置スペース内に収容可能とするような家具駆動装置および引出しガイドシステムを開発することである。
【課題を解決するための手段】
【００１０】
上記目的は、請求項１に記載の特徴を有した家具駆動装置並びに請求項６に記載の特徴を有した引出しガイドシステムよって達成される。
【００１１】
本発明の基本的な概念は、家具枠体内に設置されている家具駆動装置あるいは引出しガイドシステムの電動モータを、家具枠体の両側壁間のスペース内ではなく、家具枠体の（側）壁内の凹部内に収容することである。すなわち設置状態の本発明の家具駆動装置はほぼ隠れている。よって本発明の引出しガイドシステムの設置には、電動モータが提供されていない引出しガイドシステムと同じ小設置スペースを必要とするだけとなる。
【００１２】
引出しガイドシステムの駆動に利用されるだけでなく、本発明の家具駆動装置は跳扉用の駆動部、家具蝶番用の駆動部、家具の一部の駆動部、等々としても利用できる。
【００１３】
本発明の家具駆動装置と引出しガイドシステムのさらなる好適態様は「請求の範囲」において定義されている。
【００１４】
本発明は前述のごとき家具駆動装置および引出しガイドシステムを備えた家具枠体自体にも関する。すなわち、本発明の引出しガイドシステムが家具枠体の壁部に取り付けられており、電動モータを備えた本発明の家具駆動装置が家具枠体の壁部に設けられた凹部内に収容されている家具枠体にも関する。
【００１５】
特に好適には、電動モータは凹部内に完全収容される。
【００１６】
また上記の家具枠体と、家具駆動装置により駆動される少なくとも１体の引出しを含む家具もまた本発明の対象である。
【００１７】
本発明のさらなる利点および詳細は添付の図面と以下の発明の詳細な説明とから明確となるであろう。
【図面の簡単な説明】
【００１８】
【図１】家具枠体の壁部に取り付けられている状態の本発明の引出し用の引出しガイドシステムであって、本発明の家具駆動装置を含んでいる引出しガイドシステムの斜視図。
【図２】壁部に取り付けられる以前の図１で示す引出しガイドシステムの斜視図。
【図３】別方向から見た図２の斜視図。
【図４ａ】それぞれ図１から図３で示す引出しガイドシステムの平面図と、Ａ−Ａ線に沿った断面図。
【図４ｂ】それぞれ図１から図３で示す引出しガイドシステムの平面図と、Ａ−Ａ線に沿った断面図。
【図５ａ】それぞれ本発明の家具駆動装置の斜視図と一部切り欠き斜視図。
【図５ｂ】それぞれ本発明の家具駆動装置の斜視図と一部切り欠き斜視図。
【図６ａ】それぞれ本発明の引出しガイドシステムを備えた家具枠体の斜視図。
【図６ｂ】それぞれ本発明の引出しガイドシステムを備えた家具枠体の斜視図。
【図７】図６ａと図６ｂで示す取り付け形態の本発明の引出しガイドシステムの１実施例の図。
【発明を実施するための形態】
【００１９】
図１は家具本体または家具枠体（詳細には図示せず）の壁部６の一部と、壁部６に取り付けられた引出し（図示せず）用の引出しガイドシステム４とを示す。引出しガイドシステム４は、従来と同様に、引出しに取り付けられる引出しレールと、壁部６に取り付けられる枠体レールとを含む。この場合、枠体レールは接触部８を介して壁部６に当接する。図１で示すように、電動モータ５が引出しレール（図２参照）とは反対側で接触部８の側部に設置されている。図１で図示する家具枠体内の引出しガイドシステム４の取り付け状態において、電動モータ５は壁部６の凹部７内に完全に収容されている。
【００２０】
カップ体３’内には電動モータ５の制御又は規制装置９が設置されており、そこには配線（図示せず）により接続されている。
【００２１】
この実施例では電動モータ５は、ハウジングを有した家具駆動装置１の一部である。このハウジングはカップ形状体３とプレート形状接触部２とを含む。カップ形状体３は電動モータ５を受容する。接触部２は家具駆動装置１を壁部６に当接させる。
【００２２】
この実施例では家具駆動装置１は固定手段により引出しガイドシステム４に取り付けられている。
【００２３】
原理的には、家具駆動装置１を引出しガイドシステム４とは別々に家具枠体の壁部６に固定することが可能である。
【００２４】
この実施例では家具駆動装置１のハウジングは一体的形態である。しかし必須ではない。
【００２５】
図３は家具駆動装置１が取り付けられている引出しガイドシステム４の背面図である。
【００２６】
図４ａと図４ｂは、カップ形状体３と、カップ形状体３内に収納された電動モータ５を壁部６の凹部７内に収容した状態を示す。この設計により、家具駆動装置１自体は家具枠体内部で設置スペースをとらない。すなわち家具枠体の壁部間に設置スペースは不要である。引出しガイドシステム４は家具駆動装置１によって駆動可能であるが、このような家具駆動装置を有さない引出しガイドシステムよりも大きなスペースは必要としない。
【００２７】
図５ａと図５ｂは、それぞれ本発明の家具駆動装置１の斜視図と、その一部切り欠き図とを示す。
【００２８】
図６ａと図６ｂは、引出し１０（図６ａのみで図示）と、本発明の引出しガイドシステム４とを有した家具枠体を図示する。この実施例では、内部に制御装置または規制装置が配置されたハウジング部は接触部２’（図６および図７参照）をも有している。
【図１】
2011505993.tif 000003
【図２】
2011505993.tif 000004
【図３】
2011505993.tif 000005
【図４ａ】
2011505993.tif 000006
【図４ｂ】
2011505993.tif 000007
【図５ａ】
2011505993.tif 000008
【図５ｂ】
2011505993.tif 000009
【図６ａ】
2011505993.tif 000010
【図６ｂ】
2011505993.tif 000011
【図７】
2011505993.tif 000012
【国際調査報告】
2011505993.tif 000013
2011505993.tif 000014
2011505993.tif 000015
2011505993.tif 000016
2011505993.tif 000017
2011505993.tif 000018
2011505993.tif 000019
2011505993.tif 000020